(57)【要約】【課題】複数の撮影レンズが交換可能な電子カメラにおいて、カメラに装着された任意の１本の撮影レンズを交換する事なく、選択した焦点距離で構図の確認を行う事ができる。【解決手段】撮影者があらかじめ複数の撮影レンズの少なくとも１本の焦点距離を焦点距離記憶メモリ１３０に記憶させ、前記焦点距離記憶メモリに記憶されている焦点距離の範囲内で構図確認を行いたい焦点距離を選択し、画像処理回路２０がカメラに装着している撮影レンズの焦点距離と選択した焦点距離の比から、表示倍率を算出し、電子ズームを行い、画像表示部２８に表示する。【選択図】    図１
2004173201.tif 000002
【特許請求の範囲】
【請求項１】
複数の撮影レンズを交換可能であり、撮影レンズによって投影された被写界像を撮像素子によって電気信号に変換し、撮影された画像として表示する表示手段を有する電子カメラにおいて、前記複数の撮影レンズのうち、少なくとも１つの撮影レンズの焦点距離を記憶する焦点距離記憶手段と、該焦点距離記憶手段に記憶されている焦点距離の中から１つの焦点距離を選択する焦点距離選択手段と、前記複数の撮影レンズ中の任意の撮影レンズ装着時に、該焦点距離選択手段の情報に基づいて前記表示手段の表示倍率を設定する表示倍率設定手段を有する電子カメラ。
【請求項２】
前記焦点距離選択手段において、装着されている撮影レンズの焦点距離よりも広角側の焦点距離が選択された場合、前記表示手段に広角側焦点距離選択による警告を表す表示をする事を特徴とする請求項１記載の電子カメラ。
【請求項３】
前記焦点距離選択手段において、装着されている撮影レンズの焦点距離よりも広角側の焦点距離が選択された場合、該選択された焦点距離と前記装着されている撮影レンズの焦点距離の比で縮小された撮影画像を前記表示手段の一部に表示する事を特徴とする請求項１記載の電子カメラ。
【請求項４】
前記焦点距離選択手段において、装着されている撮影レンズの焦点距離以外の焦点距離が選択された場合、レリーズを禁止する事を特徴とする請求項１記載の電子カメラ。
【発明の詳細な説明】
【０００１】
【発明の属する技術分野】
本発明は、複数の撮影レンズを交換可能であって、撮影者がファインダーや外部モニターを見て構図を確認し撮影を行う電子カメラに関するもので、より具体的には電子ズーム装置によるズーム機能により様々な表示倍率で構図確認を行う電子カメラに関するものである。
【０００２】
【従来の技術】
通常、カメラ撮影の際、撮影者はファインダーや外部モニター表示を見て構図確認を行い、その後、撮影動作（レリーズ）を行っている。また、特公平０６−０９１６３１のように撮像素子に結像した被写界像を電気的に拡大して表示すると共に、同画角にて撮像を行う電子ズーム装置を用いた電子カメラが多数提案されており、電子ズームを行う事により、撮影レンズによる光学ズームのみよりもズーム倍率が高い撮影画像を撮影可能である事は公知である。
【０００３】
【発明が解決しようとする課題】
電子ズームにより撮影した画像は一般的に拡大率が高ければ高い程画質が悪くなるため、高画質の画像を撮影するには、同画角で撮影可能な撮影レンズを装着して撮影する事が望ましい。しかしながら、複数の撮影レンズが交換可能なカメラにおいて、焦点距離の異なる撮影レンズで構図を確認するには、撮影レンズを毎回交換しなければならず、煩わしさがあった。
【０００４】
本発明は前記問題を鑑みてなされたものであり、その目的とするところは、複数の撮影レンズが交換可能な電子カメラにおいて、カメラに装着された任意の１本の撮影レンズを交換する事なく、選択した焦点距離で構図の確認を行う事が出来る電子カメラを提供する事である。
【０００５】
【課題を解決するための手段】
本発明は上記目的を達成するために、第１に、複数の撮影レンズを交換可能であり、前記撮影レンズによって投影された被写界像を撮像素子によって電気信号に変換し、撮影された画像として表示する表示手段を有する電子カメラにおいて、前記複数の撮影レンズのうち、少なくとも１つの撮影レンズの焦点距離を記憶する焦点距離記憶手段と、該焦点距離記憶手段に記憶されている焦点距離の中から１つの焦点距離を選択する焦点距離選択手段と、前記複数の撮影レンズの任意の撮影レンズ装着時に、該焦点距離選択手段の情報に基づいて前記表示手段の表示倍率を設定する表示倍率設定手段を有する事を特徴としている。
【０００６】
第２に、前記焦点距離選択手段において、装着されている撮影レンズの焦点距離よりも広角側の焦点距離が選択された場合、前記表示手段に広角側焦点距離選択による警告を表す表示をする事を特徴としている。
【０００７】
第３に、前記焦点距離選択手段において、装着されている撮影レンズの焦点距離よりも広角側の焦点距離が選択された場合、該選択された焦点距離と前記装着されている撮影レンズの焦点距離の比で縮小された撮影画像を前記表示手段の一部に表示する事を特徴としている。
【０００８】
第４に、前記焦点距離選択手段において、装着されている撮影レンズの焦点距離以外の焦点距離が選択された場合、レリーズを禁止する事を特徴としている。
【０００９】
以上のような構成の電子カメラは、撮影者が所有する撮影レンズの焦点距離をあらかじめ焦点距離記憶手段に記憶させ、該焦点距離記憶手段に記憶されている焦点距離の中から１つの焦点距離を選択し、該焦点距離に応じて表示倍率を設定し、撮影画像を表示手段に表示する事により、前記複数の撮影レンズを着脱交換する事なく、異なる焦点距離での構図確認が可能となる。
【００１０】
【発明の実施の形態】
以下、図面を参照して本発明の実施形態を説明する。
【００１１】
［第１の実施形態］
図１は本発明の電子カメラの実施例の構成を示すブロック図である。図１において１００は電子カメラ本体部であり、１０はレンズユニットである。撮影レンズ１１は複数の光学レンズからなり、１２は絞りである。１３はシャッタで、１４は光学像を電気信号に変換する撮像素子である。１６は撮像素子１４から出力されるアナログ信号をデジタル信号に変換するＡ／Ｄ変換器である。
【００１２】
１８は撮像素子１４、Ａ／Ｄ変換器１６、Ｄ／Ａ変換器２６にクロック信号及び制御信号を供給するタイミング発生回路であり、メモリ制御回路２２及びシステム制御回路５０により制御される。
【００１３】
２０は画像処理回路であり、Ａ／Ｄ変換器１６からのデータあるいはメモリ制御回路２２からのデータに対して所定の画素補間処理や色変換処理を行う。画像処理回路２０は、後述するように電子ズーム機能を有する。
【００１４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮伸長回路３２を制御する。Ａ／Ｄ変換器１６のデータが画像処理回路２０及びメモリ制御回路２２を介して、あるいはＡ／Ｄ変換器１５のデータが直接メモリ制御回路２２を介して、画像表示メモリ２４あるいはメモリ３０に書き込まれる。
【００１５】
２８はＬＣＤなどからなる画像表示部である。画像表示メモリ２４に書き込まれた表示用の画像データはＤ／Ａ変換器２６を介して画像表示部２８により表示される。画像表示部２８を用いて撮像した画像データを逐次表示する事により、電子ビューファインダー機能を実現する事が可能である。
【００１６】
３０は撮影した静止画像や動画像を格納するためのメモリであり、所定枚数の静止画像や所定時間の動画像を格納するのに十分な記憶量を備えている。
【００１７】
３２は適応離散コサイン変換などにより画像データを圧縮・伸長する圧縮伸長回路であり、メモリ３０に格納された画像を読み込んで圧縮処理あるいは伸長処理を行い、処理を終えたデータをメモリ３０に書き込む。４０は絞り１１及びシャッタ１２を制御する露光制御部であり、ストロボ４８と連携してストロボ調光機能も有する。４２は撮影レンズ１０のフォーカシングを制御する側距制御部である。
【００１８】
５０は電子カメラ１００全体を制御するシステム制御回路である。システム制御回路５０はＣＰＵを含むマイクロコンピュータユニットから構成されており、メモリ５２に格納されたプログラムを実行する。５２はシステム制御回路５０の動作用の定数、変数、プログラムなどを記憶するメモリである。また、５０は露光制御回路４０、測距制御部４２に対して制御を行い、着脱可能なコネクタ１１６及び１１８、レンズ制御回路１２０を介してＡＦ（オートフォーカス）処理、ＡＥ（自動露出）処理を行う。５４はシステム制御回路５０によるプログラムの実行に応じて、動作状態やメッセージなどを文字及び画像で表示する表示器である。
【００１９】
５６は電気的に消去・記録可能な不揮発性メモリであり、例えばＥＥＰＲＯＭからなる。６０、６２、６４、６６、はシステム制御回路５０に対して動作指示を入力するための操作部である。
【００２０】
各操作部について具体的に説明する。６０はモードダイヤルであり、電源オフ、自動撮影モード、撮影モード、構図確認モード、撮影レンズ焦点距離記憶モード、再生モードなどの各機能モードを切り替えて設定する事ができる。
【００２１】
６２はレリーズスイッチＳＷ１であり、レリーズボタン（図示せず）の操作途中でＯＮとなり、ＡＦ処理、ＡＥ処理、ＥＦ（ストロボ）処理などの動作開始を指示する。
【００２２】
６４はレリーズスイッチＳＷ２であり、レリーズボタン（図示せず）の操作完了でＯＮとなり、撮像素子１２から読み出した信号をＡ／Ｄ変換器１６でアナログデジタル変換した後、メモリ制御回路２２を介して画像データをメモリ３０に書き込む露光処理、画像処理回路２０及びメモリ制御回路２２での演算による現像処理、メモリ３０から画像データを読み出し、圧縮伸長回路３２で圧縮を行い、記録媒体２００、２１０に画像データを書き込む記録処理という一連の処理の動作開始を指示する。
【００２３】
８０は電源制御部であり、電池検出回路、ＤＣ−ＤＣコンバータ、通電するブロックを切り替えるスイッチ回路（いずれも図示せず）などから構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部に供給する。
【００２４】
１３０は焦点距離メモリである。１３０に記憶されている焦点距離の中から選択された焦点距離に応じて、画像処理回路２０は電子ズームを行う。
【００２５】
次に、上記構成を有する電子カメラのズーム動作について説明する。図２は電子ズーム動作を示す図である。図２（ａ）は撮像素子１４からの画像データをＡ／Ｄ変換器１６でデジタル変換したＣＣＤ入力画像である。このＣＣＤ入力画像は横１６００ドット×１２００ドットの大きさからなる画素で構成されている。
【００２６】
また、図２（ｂ）は画像処理回路２０により画素補間処理及び色変換処理が行われ、画像表示メモリ２４に記録される表示画像であり、メモリ制御部２２を介して画像表示部２８に表示される。この表示画像は画像表示部２８の画素数と同じ画素数の大きさを有する。そして、撮像素子１４からの画像データを順次取り込んで画像表示部２８に表示する事により電子ビューファインダー機能を実現する。
【００２７】
画像処理回路２０は電子ズーム機能を有しており、図２（ａ）のＣＣＤ入力画像から図２（ｂ）の表示画像への画像変換を行っている。図２（１）は電子ズーム等倍処理を示す。電子ズーム等倍処理では、画像処理回路２０は１６００×１２００の全ての画素からなるＣＣＤ入力画像が表示画像になるように画像処理を行う。
【００２８】
図２（２）は電子ズーム２倍処理を示す。電子ズーム２倍処理では、画像処理回路２０は、中心部の８００×６００の画素からなるＣＣＤ入力画像が表示画像になるように画像処理を行う。この結果、画像表示部２８では、ズーム倍率が２倍となる。
【００２９】
図２（３）は電子ズーム１／２倍処理を示す。電子ズーム１／２倍処理では、画像処理回路２０は、１６００×１２００の全ての画素からなるＣＣＤ入力画像が中心部の８００×６００の画素からなる表示画像になるように画像処理を行う。この結果、画像表示部２８では、ズーム倍率が１／２倍となる。
【００３０】
図３及び図４を参照して、第１の実施形態に係る構図確認動作手順について説明する。なお、撮影者が所有している撮影レンズの焦点距離を焦点距離記憶手段に記憶させる動作については、後述の本発明第３及び第４の実施形態にて説明する。
【００３１】
図３は構図確認時の画像表示部表示例であり、撮影画像２００と焦点距離選択表示２１０が表示されている。焦点距離選択表示２１０には現在選択している焦点距離２１２と、現在装着している撮影レンズの焦点距離２１４と、焦点距離メモリ１３０に記憶されている焦点距離２１６が明示されている。ここでは、例として現在装着している撮影レンズを７０ｍｍ−２００ｍｍのズームレンズ、焦点距離記憶手段には１４ｍｍ及び３００ｍｍの２種類の単焦点レンズが記憶されていると仮定しており、図３（ａ）は現在装着している７０ｍｍ−２００ｍｍのズームレンズにおいて、焦点距離を７０ｍｍにした時の表示例である。
【００３２】
図４は第１の実施形態にかかる構図確認動作のフローチャートである。
【００３３】
モードダイヤル６０で構図確認モードに設定し（ステップ１００）、撮影者が焦点距離メモリ１３０に記憶されている焦点距離の範囲内で構図確認をする焦点距離を操作部６６で選択する（ステップ１０１）。現在装着している撮影レンズの焦点距離を撮影レンズ制御回路１２０からシステム制御回路５０に読み込み（ステップ１０２）、選択した焦点距離が現在装着している撮影レンズの焦点距離よりも望遠側であるか、広角側であるかを判別する（ステップ１０３）。装着している撮影レンズの焦点距離が７０ｍｍで、ステップ１０１で選択した焦点距離が３００ｍｍであった場合、選択した焦点距離が装着している撮影レンズよりも望遠側であるので、画像処理回路２０が装着している撮影レンズの焦点距離と選択した焦点距離の比から表示倍率（拡大率）４．３を算出する（ステップ１０４）。この値に基づいて上記電子ズーム処理を行い（ステップ１０５）、図３（ｂ）のように図３（ａ）が４．３倍に拡大された撮影画像を画像表示部２８に表示する（ステップ１０６）。ステップ１０１で選択した焦点距離が１４ｍｍであった場合、装着している撮影レンズの焦点距離よりも広角側であるので、装着している撮影レンズによって投影された被写界像の画角が選択した焦点距離での画角よりも小さく、選択した焦点距離での撮影画像の一部しか得ることが出来ず、電子ズームをし、画像表示部２８に表示しても十分な構図確認を行う事が出来ない。よって現在装着している撮影レンズよりも広角側の焦点距離を選択したことを示す警告を画像表示部２８に表示する（ステップ１０７）。
【００３４】
以上より第１の実施形態によれば、撮影者があらかじめ記憶させた焦点距離の中から構図確認を行いたい焦点距離を選択し、選択した焦点距離が現在装着している撮影レンズの焦点距離よりも望遠側であれば、それに合わせて電子ズームを行い、画像表示部に表示し、構図確認が可能となる。広角側であれば、警告を表示する事が可能となる。
【００３５】
［第２の実施形態］
第２の実施形態の電子カメラは前記第１の実施形態と同一の構成を有するので、その説明を省略し、図５に示すフローチャートを用いて、本発明第２の実施形態に係る構図確認動作手順について説明する。
【００３６】
図５におけるステップ２００乃至ステップ２０６は図４のステップ１００乃至ステップ１０６と同一であるので、それ以降から説明する。ステップ２０１で選択した焦点距離が１４ｍｍであった場合、装着している撮影レンズの焦点距離よりも広角であるので、画像処理回路２０が焦点距離の比から表示倍率（縮小倍率）０．５を算出し（ステップ２０７）、この値に基づいて上記電子ズーム処理を行い（ステップ２０８）、図３（ｃ）のように図３（ａ）が０．５倍に縮小された撮影画像を画像表示部の中央に表示する（ステップ２０９）。
【００３７】
以上説明したように本発明第２の実施形態によれば、撮影者があらかじめ記憶させた焦点距離の中から構図確認を行いたい焦点距離を選択し、選択した焦点距離が現在装着している撮影レンズの焦点距離よりも望遠側であれば、それに合わせて電子ズームを行い、画像表示部に表示し、構図確認が可能となる。広角側であれば、電子ズームした画像を画像表示部の中央に表示する事により、装着している撮影レンズから得られる画像で可能な限りの構図確認が可能となる。
【００３８】
［第３の実施形態］
図６に示すフローチャートを参照して、第３の実施形態に係る撮影レンズの焦点距離記憶動作手順について説明する。
【００３９】
モードダイヤル６０にて撮影レンズ焦点距離記憶モードにする（ステップ１０）。撮影者は記憶させる撮影レンズが単焦点であるか、もしくはズームレンズであるのかを操作部６６で選択する（ステップ１１）。単焦点の場合は焦点距離を入力し（ステップ１２）、焦点距離メモリ１３０に記憶させ（ステップ１３）、撮影レンズ焦点距離記憶モード終了となる（ステップ１７）。ズームレンズの場合は、先にワイド端焦点距離を入力し（ステップ１４）、続いてテレ単焦点距離を入力し（ステップ１５）、焦点距離メモリ１３０に記憶させる（ステップ１６）。以上で撮影レンズ焦点距離記憶モード終了となる（ステップ１７）。
【００４０】
以上説明したように第３の実施形態によれば、単焦点レンズ・ズームレンズに関わらず、撮影者所有の撮影レンズの焦点距離が焦点距離記憶手段に記憶可能となる。
【００４１】
［第４の実施形態］
図７に示すフローチャートを参照して、第４の実施形態に係る撮影レンズの焦点距離記憶動作手順について説明する。
【００４２】
モードダイヤル６０にて撮影レンズ焦点距離記憶モードにする（ステップ２０）。撮影レンズ制御回路１２０が撮影レンズのＩＤを読み出し（ステップ２１）、システム制御回路５０がそのＩＤから焦点距離を割り出す（ステップ２２）。該焦点距離を焦点距離メモリ１３０に記憶させ（ステップ２３）、撮影レンズ焦点距離記憶モード終了となる（ステップ２４）。
【００４３】
以上説明した第４の実施形態によれば、撮影レンズの焦点距離を入力しなくとも、現在装着している撮影レンズの焦点距離を焦点距離記憶手段に記憶可能となる。
【００４４】
【発明の効果】
以上説明したように本願請求項１乃至３に記載の発明によれば、複数の撮影レンズを着脱可能な電子カメラにおいて、撮影者が所望する撮影レンズの焦点距離をあらかじめ焦点距離記憶部に記憶させ、前記記憶させた焦点距離の範囲内において、焦点距離選択手段により選択した焦点距離に応じて表示倍率を設定して電子ズームを行い、撮影画像表示手段に表示する事により、実際に撮影を行うための撮影レンズを着脱交換することなく、電子カメラに装着された任意の１本の撮影レンズで、異なる焦点距離での構図確認が可能となる。
【００４５】
また、請求項４に記載の発明によれば、上記電子ズームによる構図確認の際に確認中の撮像画像を撮影可能な像と勘違いし、誤って撮影する事を防止する事が可能となる。
【図面の簡単な説明】
【図１】本発明の実施形態における電子カメラの構成を示すブロック図である。
【図２】電子ズーム動作を示す図である。
【図３】本発明第１および第２の実施形態における、構図確認時の撮影画像表示手段表示例を示す図である。ここでは例として、現在装着している撮影レンズを２８ｍｍ−１０５ｍｍのズームレンズ、焦点距離記憶手段には２４ｍｍ及び２００ｍｍの２種類の単焦点レンズが記憶されていると仮定している。
【図４】本発明第１の実施形態における、焦点距離記憶手段に記憶されている焦点距離の中から１つの焦点距離を選択し、それに応じて表示倍率を設定し、表示手段に表示する構図確認動作のうち、装着している撮影レンズよりも広角側の焦点距離を選択した時、警告表示をする場合のフローチャートである。
【図５】本発明第２の実施形態における、焦点距離記憶手段に記憶されている焦点距離の中から１つの焦点距離を選択し、それに応じて表示倍率を設定し、表示手段に表示する構図確認動作のうち、装着している撮影レンズよりも広角側の焦点距離を選択した時、縮小画像を表示手段の一部に表示する場合のフローチャートである。
【図６】本発明第３の実施形態における、撮影者が所望する撮影レンズの焦点距離を焦点距離記憶手段に記憶させる焦点距離記憶動作のフローチャートである。
【図７】本発明第４の実施形態における、現在カメラに装着している撮影レンズの焦点距離を焦点距離記憶手段に記憶させる焦点距離記憶動作のフローチャートである。
【符号の説明】
１０・・・レンズユニット
２０・・・画像処理回路
２８・・・画像表示部
５０・・・システム回路
５２・・・メモリ
６０・・・モードダイヤル
６６・・・操作部
１２０・・・撮影レンズ制御回路
１３０・・・焦点距離メモリ
２００・・・被写体像
２１０・・・焦点距離選択表示
【図１】
2004173201.tif 000003
【図２】
2004173201.tif 000004
【図３】
2004173201.tif 000005
【図４】
2004173201.tif 000006
【図５】
2004173201.tif 000007
【図６】
2004173201.tif 000008
【図７】
2004173201.tif 000009